(57)【要約】【課題】水やひげ屑を飛散させることが少なくより効果的かつ手軽に刃を洗浄することができる電気かみそりを提供する。【解決手段】通常駆動モードと洗浄駆動モードとを備え、ラッチのかからないメインスイッチ１１と、かみそりの刃を駆動する駆動部７と、洗浄駆動モードであることをユーザーに通知する表示部９と、ユーザーに洗浄を促す表示部１０と、所定の時間を計測するタイマ部１４と、通常駆動モードで動作した時間を積算する積算タイマ部１５と、駆動部７の動作を制御すると共に表示部９及び表示部１０を発光させる制御部１３とを備える。また、制御部１３はメインスイッチ１１がオンの時間をタイマ部１５に計測させ、当該オンの時間に応じて通常駆動モードと洗浄駆動モードとの切り替えを行い、通常駆動モードでは刃の移動速度をひげの切断に適した速度に制御し、洗浄駆動モードでは刃の移動速度を刃の洗浄に適した速度に制御する。【選択図】　図５
2004016285.tif 000002
【特許請求の範囲】
【請求項１】
内刃と外刃とを有し、これらの刃の一方又は両方を駆動させて挟み込むことによりひげの切断を行う電気かみそりであって、ひげの切断を行うための通常駆動モードと、刃の洗浄を行うための洗浄駆動モードとを備え、前記洗浄駆動モードでは、刃の駆動の周波数、回転数及び振幅のうち少なくとも一つを前記通常駆動モ−ドとは異なるように制御することを特徴とする電気かみそり。
【請求項２】
前記洗浄駆動モードでは、前記周波数、前記回転数及び前記振幅のうち少なくとも一つを前記通常駆動モードより小さくすることを特徴とする請求項１記載の電気かみそり。
【請求項３】
前記洗浄駆動モードでは、駆動する刃の移動速度の瞬間最高値を毎分６０ｍ以下に維持するとともに、少なくとも一つの駆動する刃の移動速度を毎分２０ｍ以上にする瞬間が有ることを特徴とする請求項１又は２記載の電気かみそり。
【請求項４】
前記洗浄駆動モードでは、前記周波数、前記回転数及び前記振幅のうち少なくとも一つを前記通常駆動モードより大きくすることを特徴とする請求項１記載の電気かみそり。
【請求項５】
前記洗浄駆動モードは、前記周波数、前記回転数及び前記振幅のうち少なくとも一つが相互に異なる複数の駆動モードを含み、当該複数の駆動モードを組み合わせて刃を駆動させることを特徴とする請求項１〜４のいずれかに記載の電気かみそり。
【請求項６】
スイッチがオンされたときは前記通常駆動モードであり、スイッチがオンされた状態が所定の時間以上継続した場合に前記洗浄駆動モードに切り換えることを特徴とする請求項１〜５のいずれかに記載の電気かみそり。
【請求項７】
前記洗浄駆動モードで所定の時間刃を駆動した後に停止することを特徴とする請求項１〜６のいずれかに記載の電気かみそり。
【請求項８】
前記洗浄駆動モードでは、第１の所定の時間刃を駆動した後に刃の駆動を中断し、当該中断してから第２の所定の時間経過後に刃の駆動を再開することを特徴とする請求項１〜６のいずれかに記載の電気かみそり。
【請求項９】
前記洗浄駆動モードでは、前記刃の駆動を再開する後では、前記周波数、前記回転数及び前記振幅のうち少なくとも一つを前記刃の駆動を中断する前と異ならせることを特徴とする請求項８記載の電気かみそり。
【請求項１０】
前記洗浄駆動モードでは、前記刃の駆動を再開する後では、前記周波数、前記回転数及び前記振幅のうち少なくとも一つを前記刃の駆動を中断する前より小さくすることを特徴とする請求項９記載の電気かみそり。
【請求項１１】
前記洗浄駆動モードでは、前記刃の駆動を再開した後、第３の所定の時間刃を駆動した後に刃の駆動を停止することを特徴とする請求項８〜１０のいずれかに記載の電気かみそり。
【請求項１２】
スイッチがオンされたときは前記周波数、前記回転数及び前記振幅のうち少なくとも一つを前記通常駆動モードより小さくして刃を駆動し、スイッチがオンされた状態が所定の時間以上継続した場合に前記洗浄駆動モードで刃を駆動し、スイッチがオンされた状態が所定の時間以上継続しなかった場合にはスイッチがオフされたときに前記通常駆動モードで刃を駆動することを特徴とする請求項１〜１１のいずれかに記載の電気かみそり。
【請求項１３】
前記洗浄駆動モードであることを通知する通知手段を備えることを特徴とする請求項１〜１２のいずれかに記載の電気かみそり。
【請求項１４】
前記洗浄駆動モードによる刃の駆動を行った後に、前記通常駆動モードで刃を駆動した時間を積算し、当該積算された時間が所定の時間以上となった場合に、洗浄を促すための表示を行う表示手段を備えることを特徴とする請求項１〜１３のいずれかに記載の電気かみそり。
【発明の詳細な説明】
【０００１】
【発明の属する技術分野】
本発明は、刃を洗浄することができる電気かみそりに関するものである。
【０００２】
【従来の技術】
従来、電気かみそりの刃に付着したひげ屑の掃除が容易な電気かみそりとして、電気かみそりの刃を駆動した状態で水洗いすることができる電気かみそりが知られている。このような電気かみそりでは、かみそりの内刃と外刃を付けた状態で刃に水を付けて駆動させ、水の動きによって刃を洗浄することができる。また、刃に洗浄剤を付けた状態で刃を駆動させることにより、より効果的に洗浄することが可能である。
【０００３】
しかし、長期間刃にひげ屑が付着したまま放置された場合等には、ひげ屑が内刃に固着してしまい、上記のような洗浄を行っても十分な洗浄効果が得られない。このように内刃にひげ屑が固着してしまった場合には、かみそりの外刃を取り外して直接内刃に流水を当てながら内刃を駆動させる方法によって、十分な洗浄効果が得られることが知られている。しかし、この方法では、内刃の駆動速度が速いため、内刃の駆動によって水やひげ屑がはじき飛ばされて周囲に散乱するという不都合がある。
【０００４】
そこで、従来、専用の洗浄器を用いる方法が用いられている。この方法では、洗浄器の内部に電気かみそりを本体ごと入れて、洗浄する部分を洗浄器で包み込んだ状態で内刃を駆動させるため、水やひげ屑がはじき飛ばされて周囲に散乱することがない。
【０００５】
【発明が解決しようとする課題】
上記のように、十分な洗浄効果を得るために、かみそりの外刃を取り外して直接内刃に流水を当てながら内刃を駆動させる方法では、内刃の駆動によって水やひげ屑がはじき飛ばされて周囲に散乱するという不都合がある。一方、水やひげ屑の散乱を防ぐために専用の洗浄器を用いる方法では、電気かみそりの刃を洗浄するために専用の洗浄器を必要とし、しかもその洗浄器は、電気かみそりの洗浄部分を包み込む必要から大型の器具となるため、手軽に電気かみそりの刃を洗浄し難いという不都合があった。
【０００６】
本発明は上記事情に鑑みてなされたもので、水やひげ屑を飛散させることなく効果的かつ手軽に刃を洗浄することができる電気かみそりを提供することを目的とする。
【０００７】
【課題を解決するための手段】
請求項１に記載の発明は、内刃と外刃とを有し、これらの刃の一方又は両方を駆動させて挟み込むことによりひげの切断を行う電気かみそりであって、ひげの切断を行うための通常駆動モードと、刃の洗浄を行うための洗浄駆動モードとを備え、前記洗浄駆動モードでは、刃の駆動の周波数、回転数及び振幅のうち少なくとも一つを前記通常駆動モ−ドと異なるように制御することを特徴としている。
【０００８】
請求項１に記載の発明によれば、前記通常駆動モードではひげの切断を行うために刃の駆動が制御され、前記洗浄駆動モードでは刃の洗浄を行うために刃の駆動が制御され、前記洗浄駆動モードでは、刃の駆動の周波数、回転数及び振幅のうち少なくとも一つが前記通常駆動モ−ドと異なるように制御される。この場合、洗浄駆動モードでは、刃の移動速度を刃の洗浄に適した速度に制御することが可能になるので、刃を効果的に洗浄することが可能になる。また、器具を用いて刃を洗浄する必要がないため、手軽に刃を洗浄することができる。
【０００９】
請求項２に記載の発明は、請求項１記載の電気かみそりにおいて、前記洗浄駆動モードでは、前記周波数、前記回転数及び前記振幅のうち少なくとも一つを前記通常駆動モードより小さくすることを特徴としている。請求項２に記載の発明によれば、前記洗浄駆動モードでは、前記周波数、前記回転数及び前記振幅のうち少なくとも一つが前記通常駆動モードより小さくなる。この場合、前記洗浄駆動モードでは前記通常駆動モードよりも刃の移動速度が小さくなるので、かみそりの外刃を外して内刃に直接流水を当てながら前記洗浄駆動モードで刃を駆動させた場合に水やひげ屑が飛散することを、より少なくすることが可能になる。
【００１０】
請求項３に記載の発明は、請求項１又は２記載の電気かみそりにおいて、前記洗浄駆動モードでは、駆動する刃の移動速度の瞬間最高値を毎分６０ｍ以下に維持するとともに、少なくとも一つの駆動する刃の移動速度を毎分２０ｍ以上にする瞬間が有ることを特徴としている。請求項３に記載の発明によれば、前記洗浄駆動モードでは、駆動する刃の移動速度の瞬間最高値が毎分６０ｍ以下に維持され、少なくとも一つの駆動する刃の移動速度が毎分２０ｍ以上になる瞬間が有る。この場合、かみそりの外刃を外して内刃に直接流水を当てながら前記洗浄駆動モードで刃を駆動させたときに、駆動する刃の移動速度の瞬間最高値が水やひげ屑の飛散が激しくなる速度以下に維持され、駆動する刃のうち少なくとも一つの移動速度が洗浄を効果的に行うことができる速度以上になる瞬間が有るので、水やひげ屑が飛散することを抑制しつつ効果的な洗浄を行うことが可能になる。
【００１１】
請求項４に記載の発明は、請求項１記載の電気かみそりにおいて、前記洗浄駆動モードでは、前記周波数、前記回転数及び前記振幅のうち少なくとも一つを前記通常駆動モードより大きくすることを特徴としている。請求項４に記載の発明によれば、前記洗浄駆動モードでは、前記周波数、前記回転数、前記振幅のうち少なくとも一つが前記通常駆動モードより大きくなる。この場合、前記洗浄駆動モードでは前記通常駆動モードよりも刃の移動速度が大きくなるので、かみそりの外刃を付けた状態で刃に洗浄剤等を付けて刃を駆動させたときに、より効果的に刃を洗浄することが可能になる。
【００１２】
請求項５に記載の発明は、請求項１〜４のいずれかに記載の電気かみそりにおいて、前記洗浄駆動モードは、前記周波数、前記回転数及び前記振幅のうち少なくとも一つが相互に異なる複数の駆動モードを含み、当該複数の駆動モードを組み合わせて刃を駆動させることを特徴としている。請求項５に記載の発明によれば、前記洗浄駆動モードには、前記周波数、前記回転数及び前記振幅のうち少なくとも一つが相互に異なる複数の駆動モードが含まれ、当該複数の駆動モードの組み合わせによって刃が駆動される。この場合、刃の移動速度が異なる複数の駆動モードが組み合わされ、刃の移動速度が変化させられることによってひげ屑が振り落とされるので、より効果的に洗浄することが可能になる。
【００１３】
請求項６に記載の発明は、請求項１〜５のいずれかに記載の電気かみそりにおいて、スイッチがオンされたときは前記通常駆動モードであり、スイッチがオンされた状態が所定の時間以上継続した場合に前記洗浄駆動モードに切り換えることを特徴としている。請求項６に記載の発明によれば、スイッチがオンされたときは前記通常駆動モードで刃が駆動され、スイッチがオンされた状態が所定の時間以上継続した場合に前記洗浄駆動モードに切り替えられる。この場合、ユーザーがスイッチを所定の時間以上継続してオンさせたときに前記洗浄駆動モードに切り替えられるので、前記洗浄駆動モードにするためのスイッチを別に備える必要がない。
【００１４】
請求項７に記載の発明は、請求項１〜６のいずれかに記載の電気かみそりにおいて、前記洗浄駆動モードで所定の時間刃を駆動した後に停止することを特徴としている。請求項７に記載の発明によれば、刃は、前記洗浄駆動モードで所定の時間駆動された後に停止する。この場合、意図せず前記洗浄駆動モードで刃が駆動される状態になったときであっても所定の時間経過後に刃の駆動が停止するので、刃が駆動され続けることがない。
【００１５】
請求項８に記載の発明は、請求項１〜６のいずれかに記載の電気かみそりにおいて、前記洗浄駆動モードでは、第１の所定の時間刃を駆動した後に刃の駆動を中断し、当該中断してから第２の所定の時間経過後に刃の駆動を再開することを特徴としている。請求項８に記載の発明によれば、前記洗浄駆動モードで第１の所定の時間刃が駆動された後、刃の駆動が第２の所定の時間の間中断されてから刃の駆動が再開される。この場合、刃の駆動が中断している間に外刃を取り外すことが可能となるので、外刃を取り外す際に外刃と内刃が衝突する等の干渉を起こすことがなく、容易に外刃を取り外すことができる。
【００１６】
請求項９に記載の発明は、請求項８記載の電気かみそりにおいて、前記洗浄駆動モードでは、前記刃の駆動を再開する後では、前記周波数、前記回転数及び前記振幅のうち少なくとも一つを前記刃の駆動を中断する前と異ならせることを特徴としている。請求項９に記載の発明によれば、前記刃の駆動を再開する後は、前記周波数、前記回転数及び前記振幅のうち少なくとも一つが前記刃の駆動を中断する前と異なる。この場合、前記刃の駆動を中断する前に外刃を取り付けた状態で外刃及び内刃に洗浄剤を行き渡らせるときと、前記刃の駆動を再開する後に外刃を取り外して内刃を駆動させて洗浄するときとのそれぞれの場合に適するように、刃の移動速度を制御することができる。
【００１７】
請求項１０に記載の発明は、請求項９記載の電気かみそりにおいて、前記洗浄駆動モードでは、前記刃の駆動を再開する後では、前記周波数、前記回転数及び前記振幅のうち少なくとも一つを前記刃の駆動を中断する前より小さくすることを特徴としている。請求項１０に記載の発明によれば、前記刃の駆動を再開するときは、前記周波数、前記回転数及び前記振幅のうち少なくとも一つが前記刃の駆動を中断する前よりも小さい。この場合、前記刃の駆動を再開した後で、外刃を取り外して内刃に直接流水を当てながら刃を駆動させる場合に、水やひげ屑が飛散することをより少なくすることができる。
【００１８】
請求項１１に記載の発明は、請求項８〜１０のいずれかに記載の電気かみそりにおいて、前記洗浄駆動モードでは、前記刃の駆動を再開した後、第３の所定の時間刃を駆動した後に刃の駆動を停止することを特徴としている。請求項１１に記載の発明によれば、前記刃の駆動が再開された後、第３の所定の時間刃が駆動された後に刃の駆動が停止する。この場合、意図せず前記洗浄駆動モードで刃が駆動される状態になったときであっても第３の所定の時間経過後に刃の駆動が停止するので、刃が駆動され続けることがない。
【００１９】
請求項１２に記載の発明は、請求項１〜１１のいずれかに記載の電気かみそりにおいて、スイッチがオンされたときは前記周波数、前記回転数及び前記振幅のうち少なくとも一つを前記通常駆動モードより小さくして刃を駆動し、スイッチがオンされた状態が所定の時間以上継続した場合に前記洗浄駆動モードで刃を駆動し、スイッチがオンされた状態が所定の時間以上継続しなかった場合にはスイッチがオフされたときに前記通常駆動モードで刃を駆動することを特徴とする。請求項１２に記載の発明によれば、スイッチがオンされたときは前記周波数、前記回転数及び前記振幅のうち少なくとも一つが前記通常駆動モードより小さくなるように刃が駆動され、スイッチがオンされた状態が所定の時間以上継続した場合に前記洗浄駆動モードで刃が駆動され、スイッチがオンされた状態が所定の時間以上継続しなかった場合にはスイッチがオフされたときに前記通常駆動モードで刃が駆動される。この場合、スイッチがオンされたときは前記通常駆動モードよりも刃の移動速度が小さいので、ユーザーが最初から外刃を取り外した状態で刃の洗浄を行う場合であっても、スイッチがオンされたときから水やひげ屑が飛散することをより少なくすることが可能になる。
【００２０】
請求項１３に記載の発明は、請求項１〜１２のいずれかに記載の電気かみそりにおいて、前記洗浄駆動モードであることをユーザーに通知する通知手段を備えることを特徴としている。請求項１３に記載の発明によれば、前記洗浄駆動モードになっているときに、前記洗浄駆動モードであることが通知手段によってユーザーに通知される。この場合、前記洗浄駆動モードになっているときに、前記洗浄駆動モードとなっていることをユーザーに知らせることができる。
【００２１】
請求項１４に記載の発明は、請求項１〜１３のいずれかに記載の電気かみそりにおいて、前記洗浄駆動モードによる刃の駆動を行った後に、前記通常駆動モードで刃を駆動した時間を積算し、当該積算された時間が所定の時間以上となった場合に、洗浄を促すための表示を行う表示手段を備えることを特徴としている。請求項１４に記載の発明によれば、前記洗浄駆動モードで刃が駆動された後に、前記通常駆動モードで刃が駆動された時間が積算され、当該積算された時間が所定の時間以上となった場合に、表示手段によって、ユーザーに洗浄を促すための表示がされる。この場合、おおよそひげ屑が溜まる時期に、ユーザーに洗浄を促すことが可能になる。
【００２２】
【発明の実施の形態】
以下、本発明に係る実施形態を図面に基づいて説明する。なお、各図において同一の構成については、同一の符号を付し、その説明を省略する。
【００２３】
（第１実施形態の構成）
図１は、本発明の第１の実施形態に係る電気かみそり１の外観及び電気かみそり１から外刃２を取り外して内刃３を流水Ａで洗浄する様子を示す図である。図１に示す電気かみそり１のハウジング４は、薄型の角筒形状とされており、ハウジング４の一端上面に駆動部７を介して内刃３が取り付けられる。また、内刃３に覆い被さるようにハウジング４に外刃２が取り付けられる。
【００２４】
外刃２はユーザーが脱着することが可能になっており、外刃２がハウジング４に取り付けられると、外刃２の内面に内刃３が摺接する。図１では、外刃２が取り外された状態を示している。ハウジング４の前面には、スライド型のスイッチハンドル５とスイッチハンドル６が上下にスライド自在に配設されている。
【００２５】
スイッチハンドル５は、ユーザーが電気かみそり１を動作させるための操作部で、動作のオン（閉）とオフ（開）に対応した２つの位置にスライドさせることができる。スイッチハンドル６は、ユーザーが電気かみそり１の動作モードを選択するための操作部で、通常駆動モードと洗浄駆動モードに対応した２つの位置にスライドさせることができる。
【００２６】
図２は、第１の実施形態に係る電気かみそり１のブロック図である。メインスイッチ１１は、スイッチハンドル５がオンの位置にスライドされることによりオンし、スイッチハンドル５がオフの位置にスライドされることによりオフする。そして、メインスイッチ１１のオン／オフ信号が、制御部１３に出力される。
【００２７】
モードスイッチ１２は、スイッチハンドル６が洗浄駆動モードの位置にスライドされることによりオンし、スイッチハンドル６が通常駆動モードの位置にスライドされることによりオフする。そして、モードスイッチ１２のオン／オフ信号が、制御部１３に出力される。
【００２８】
制御部１３は、メインスイッチ１１及びモードスイッチ１２から出力されたオン／オフ信号を検出し、当該オン／オフ信号の状態に応じて駆動部７の駆動を制御するための制御信号を駆動部７へ出力する。制御部１３は、例えば、ＣＰＵ（中央演算処理装置）、ＲＯＭ（Ｒｅａｄ　Ｏｎｌｙ　Ｍｅｍｏｌｙ）、ＲＡＭ（Ｒａｎｄｏｍ　Ａｃｃｅｓｓ　Ｍｅｍｏｒｙ）等から構成され、ＣＰＵがＲＯＭに記憶されたプログラムを実行することによって、駆動部７の動作を制御する。なお、制御部１４は、ＣＰＵ等を用いず論理回路、トランジスタ、発振回路等の個別部品によって、構成されるものであってもよい。
【００２９】
駆動部７は、内刃３と接続され、内刃３を駆動して往復運動をさせるもので、例えばリニアモータ、あるいは回転式のモータとカムを組み合わせて構成される。また、駆動部７は、制御部１３から出力された制御信号に応じて、単位時間あたりに内刃３が往復する回数である駆動周波数を変更可能に構成される。また、内刃３が１回の往復運動で移動する距離である駆動振幅は一定になるように構成される。したがって、内刃３の移動速度は駆動周波数に比例する。また、制御部１３は、制御信号を用いて駆動部７の駆動周波数を制御することにより、内刃３が駆動される移動速度が制御される。
【００３０】
なお、駆動周波数を一定にして、内刃３が１回の往復運動で移動する距離である駆動振幅を変更可能に駆動部７を構成し、制御部１３は、制御信号を用いて駆動部７の駆動振幅を制御することにより、駆動部７が内刃３を駆動する移動速度を制御する構成としてもよい。また、制御部１３は、駆動周波数及び駆動振幅の両方を制御することにより、駆動部７が内刃３を駆動する移動速度を制御する構成としてもよい。
【００３１】
また、内刃が回転運動をする回転式電気かみそりに本発明を用い、単位時間あたりに内刃が回転する数である駆動回転数を変更可能に駆動部７を構成し、制御部１３は、制御信号を用いて駆動部７の駆動回転数を制御することにより、内刃３が駆動される移動速度が制御される構成としてもよい。
【００３２】
制御部１３は、モードスイッチ１２から出力されたオン／オフ信号がオフ状態で、かつメインスイッチ１１から出力されたオン／オフ信号がオン状態の場合には、ひげの切断を行うための通常駆動モードでの制御を行う。
【００３３】
通常駆動モードでは、制御部１３は、制御信号を駆動部７へ出力して駆動部７が内刃３に往復運動をさせる駆動周波数を制御し、駆動部７に内刃３をひげを切断するために適した移動速度で駆動させる。この場合、外刃２がハウジング４に取り付けられた状態で内刃３が往復運動をすることによって、内刃３と外刃２との間にひげが挟み込まれて切断される。
【００３４】
また、制御部１３は、モードスイッチ１２から出力されたオン／オフ信号がオン状態で、かつメインスイッチ１１から出力されたオン／オフ信号がオン状態の場合には、刃部の洗浄を行うための洗浄駆動モードでの制御を行う。
【００３５】
洗浄駆動モードでは、制御部１３は、制御信号を駆動部７へ出力して駆動部７が内刃３に往復運動をさせる駆動周波数を制御し、駆動部７に内刃３を洗浄するために適した移動速度で駆動させる。
【００３６】
例えば、かみそりの外刃２を取り外して直接内刃３に流水Ａを当てながら洗浄する場合には、内刃３の駆動によって水やひげ屑がはじき飛ばされることを、より少なくするために、制御部１３は、駆動部７の駆動周波数を通常駆動モードより小さくなるように制御して、駆動部７によって内刃３が駆動される移動速度を通常駆動モードより遅くする。
【００３７】
また、種々の実験によると、内刃３の駆動によって水やひげ屑がはじき飛ばされることをより少なくするため、内刃３の移動速度の瞬間最高値が毎分６０ｍ以下になるように、制御部１３は駆動部７の動作を制御することが望ましい。なお、前記回転式電気かみそりに本発明を用いた場合には、水やひげ屑がはじき飛ばされることをより少なくするため、内刃の最外周部の速度が毎分６０ｍ以下になるように、制御部１３は駆動部７の動作を制御することが望ましい。
【００３８】
また、内刃３に直接流水Ａを当てながら内刃３を駆動して洗浄を行うときに十分な洗浄効果を得るために、内刃３の移動速度が瞬間的に毎分２０ｍ以上になるように、制御部１３は駆動部７の動作を制御することが望ましい。この場合、例えば、内刃３が最高速度で駆動される往復運動の振幅の中央付近で、内刃３の移動速度が毎分２０ｍ以上になるように、制御部１３は駆動部７の動作を制御することが望ましい。
【００３９】
なお、制御部１３は、外刃２を取り付けた状態で水、洗浄剤等を外刃２及び内刃３に付けて刃部の洗浄を行う場合の洗浄効果を高めるために、洗浄駆動モードでは、内刃３の移動速度が通常駆動モードの場合よりも高速になるように、制御部１３は、駆動部７の駆動周波数を制御し、駆動部７により内刃３が駆動されるようにしてもよい。この場合、内刃３がより高速な移動速度で駆動されるので、洗浄効果が高まるとともに、外刃２が取り付けられた状態であるため、水やひげ屑がはじき飛ばされることが、より少ない。
【００４０】
また、制御部１３は、洗浄駆動モードでは、内刃３の移動速度が異なる複数の駆動モードで内刃３を駆動させる構成としてもよい。例えば、制御部１３は、内刃３を高速で駆動させるモード、内刃３を低速で駆動させるモード及び内刃３の移動速度が零になるモードを組み合わせて内刃３を駆動することにより、内刃３を高速駆動から急激に低速駆動に変化させ、または高速駆動から急激に停止させ、あるいはこれらの駆動モードの組み合わせを繰り返して内刃３の移動速度を種々に変化させ、また内刃３に加速度を加える構成としてもよい。この場合、内刃３の移動速度や、内刃３に加えられる加速度等によって、ひげ屑が振り落とされ、より洗浄効果を高めることができる。
【００４１】
また、電気かみそり１は、図示しない充電式電池及び前記充電式電池の充電を制御する充電制御回路を備える。前記充電制御回路は、前記充電式電池の出力電圧に応じて、前記充電式電池に充電を行うための充電モードと他の動作モードとの間でモードを切り替える。
【００４２】
（第１実施形態の動作）
図３は、第１の実施形態に係る電気かみそり１の動作を説明するための状態遷移図である。図３の状態遷移図において、スタンバイモードでは、内刃３は停止状態になっている。スタンバイモードで、スイッチハンドル６が通常駆動モードの位置にあるときに、スイッチハンドル５がオンの位置にスライドされた場合、モードスイッチ１２から制御部１３へオン／オフ信号がオフ状態で出力され、メインスイッチ１１から制御部１３へオン／オフ信号がオン状態で出力されるので、制御部１３は、通常駆動モードに移行する。
【００４３】
通常駆動モードでは、制御部１３により、駆動部７の駆動周波数が制御され、駆動部７により、内刃３がひげを切断するために適した移動速度で駆動される。
【００４４】
一方、スタンバイモードで、スイッチハンドル６が洗浄駆動モードの位置にあるときに、スイッチハンドル５がオンの位置にスライドされた場合、モードスイッチ１２から制御部１３へオン／オフ信号がオン状態で出力され、メインスイッチ１１から制御部１３へオン／オフ信号がオン状態で出力されるので、制御部１３は、洗浄駆動モードに移行する。
【００４５】
洗浄駆動モードでは、内刃３が駆動される移動速度が、通常駆動モードより遅い速度、例えば、瞬間的に毎分２０ｍ以上で、瞬間最高値が毎分６０ｍ以下になるように、制御部１３により、駆動部７の駆動周波数が制御され、駆動部７により内刃３が駆動される。この場合、かみそりの外刃２を取り外して直接内刃３に流水Ａを当てることにより、効果的に刃を洗浄することができるとともに、水やひげ屑がはじき飛ばされることが、より少なくなる。また、内刃３等の洗浄を行うために、専用の洗浄器等を用いる必要がなく、手軽に電気かみそり１の刃を洗浄することができる。
【００４６】
一方、制御部１３は、通常駆動モードで、スイッチハンドル６が洗浄駆動モードの位置にスライドされ、モードスイッチ１２から出力されたオン／オフ信号がオン状態になった場合には、洗浄駆動モードに移行する。また、洗浄駆動モードで、スイッチハンドル６が通常駆動モードの位置にスライドされ、モードスイッチ１２から出力されたオン／オフ信号がオフ状態になった場合には、通常駆動モードに移行する。また、制御部１３は、通常駆動モード及び洗浄駆動モードでスイッチハンドル５がオフの位置にスライドされ、メインスイッチ１１から出力されたオン／オフ信号がオフ状態になった場合には、スタンバイモードに移行して、駆動部７に内刃３の駆動を停止させる。
【００４７】
（第２実施形態の構成）
図４は、本発明の第２の実施形態に係る電気かみそり１の外観及び電気かみそり１から外刃２を取り外して内刃３を流水Ａで洗浄する様子を示す図である。また、図５は、本発明の第２の実施形態に係る電気かみそり１のブロック図である。図４に示す電気かみそり１は、図１に示す電気かみそり１と以下の点で異なる。
【００４８】
すなわち、図４に示す電気かみそり１は、スライド型のスイッチハンドル５及びスイッチハンドル６を備えない。一方、図４に示す電気かみそり１は、ハウジング４の前面に、スイッチボタン８、表示部９及び表示部１０が配設されている。スイッチボタン８は、メインスイッチ１１と連動するように配設される。この場合、メインスイッチ１１として、ラッチのかからないタクトスイッチ等の押しボタンスイッチが用いられ、ユーザーがスイッチボタン８を押している間だけメインスイッチ１１がオンし、手を離すとオフする。
【００４９】
表示部９は、電気かみそり１が洗浄駆動モードで動作中であることをユーザーに通知するための表示を行うもので、制御部１３から出力された信号により発光する。表示部１０は、ユーザーに洗浄を促すための表示を行うもので、制御部１３から出力された信号により発光する。表示部９及び表示部１０は、例えば発光ダイオード等が用いられる。
【００５０】
また、図５に示すブロック図は、図２に示すブロック図と以下の点で異なる。すなわち、モードスイッチ１２を備えず、タイマ部１４、表示部９、表示部１０及び積算タイマ部１５を備える。タイマ部１４は、制御部１３によって設定された所定の時間を計測する。タイマ部１４としては、例えば汎用のタイマＩＣ等が用いられる。タイマ部１４は、制御部１３により所定の時間が設定されることによって時間の計測を開始し、設定された所定の時間が経過したときにタイムアップ信号を制御部１３へ出力する。
【００５１】
積算タイマ部１５は、制御部１３から出力される通常駆動モードで動作中であることを示す信号を取り込んで、当該信号が出力されている時間を積算する。そして、積算タイマ部１５は、当該積算した時間があらかじめ設定された所定の時間ＴＳを越えたときに、積算タイムアップ信号を制御部１３へ出力する。また、積算タイマ部１５は、制御部１３から洗浄駆動モードで動作中であることを示す信号が出力された場合、積算タイマをリセットして積算した時間を零に戻す。
【００５２】
また、積算タイマ部１５としては、例えば電池から供給される電力で動作するタイマＩＣ等が用いられ、積算タイマ部１５は、電気かみそり１のスイッチがオフされたり、電気かみそり１が備える前記充電式電池の電圧が低下した場合であっても積算した時間を保持する。そして、積算タイマ部１５は、新たに制御部１３から通常駆動モードで動作中であることを示す信号が出力された場合、当該信号が出力されている時間を前記保持している時間に積算するように構成される。
【００５３】
制御部１３は、メインスイッチ１１から出力されたオン／オフ信号を検出するとともに、タイマ部１４に所定の時間Ｔａを設定して所定の時間Ｔａを計測させる。また、制御部１３は、当該検出したオン／オフ信号がオン状態を継続している時間が、タイマ部１４で計測された所定の時間Ｔａ以上であるか否かを判別し、通常駆動モードと洗浄駆動モードとの切り替えをおこなう。
【００５４】
また、制御部１３は、洗浄駆動モードで駆動部７に内刃３を駆動させている間、表示部９を発光させるための信号を出力し、表示部９を発光させる。ユーザーは、表示部９が発光することによって、電気かみそり１が洗浄駆動モードで動作していることを知ることが可能になる。なお、電気かみそり１が洗浄駆動モードで動作していることをユーザーに通知する手段として、ブザー等を備えて音によって通知する構成としてもよい。
【００５５】
（第２実施形態の動作）
図６は、本発明の第２の実施形態に係る電気かみそり１の動作を説明するためのフローチャートである。まず、メインスイッチ１１がオンされると、ステップＳ１で、駆動部７を通常駆動モードの駆動周波数に制御するための制御信号が、制御部１３から駆動部７へ出力される。そして、駆動部７は内刃３を通常駆動モードで駆動させ、内刃３が駆動される移動速度はひげの切断に適した速度に制御される。また、制御部１３により、タイマ部１４に所定の時間Ｔａが設定され、タイマ部１４によって、所定の時間Ｔａの時間計測が開始される。
【００５６】
なお、ステップＳ１で、内刃３が駆動される移動速度が通常駆動モードよりも低速になるように、制御部１３により制御されるようにしてもよい。この場合、内刃３の駆動を開始させるときの移動速度は、洗浄モードの場合の移動速度以上で、通常モードの場合の移動速度未満であることが望ましい。これにより、例えば、最初から外刃２が取り外され、流水Ａが内刃３に当たっている状態で、スイッチがオンされた場合であっても、水やひげ屑が飛散することをより少なくすることができる。
【００５７】
次に、ステップＳ２で、タイマ部１４から出力されるタイムアップ信号が、制御部１３により検出されるまで、ステップＳ１〜Ｓ２が繰り返され、通常駆動モードでの内刃３の駆動が継続される。そして、所定の時間Ｔａが経過して、タイマ部１４から出力されたタイムアップ信号が制御部１３により検出されたとき、ステップＳ３へ移行する。
【００５８】
次に、ステップＳ３で、メインスイッチ１１がオン状態を継続していたときは、制御部１３は、洗浄駆動モードにすべくステップＳ５へ移行し、メインスイッチ１１がオン状態を継続していなかったときには、通常駆動モードを維持すべくステップＳ４へ移行する。
【００５９】
上記ステップＳ２〜Ｓ３の動作により、ユーザーが所定の時間Ｔａの間スイッチボタン８を押しつづけることによって、洗浄駆動モードに切り替えられる。また、本実施形態では、スイッチボタン８と連動するメインスイッチ１１として、ラッチのかからないスイッチが用いられているので、ユーザーは、スイッチボタン８から手を離すだけでメインスイッチ１１をオフさせることができる。したがって、ユーザーは、所定の時間Ｔａが経過する前にスイッチボタン８から手を離すだけで通常動作モードに切り換えることができ、簡単な操作で動作モードを選択することができる。
【００６０】
例えば、ユーザーが外刃２を取り付けた状態で外刃２の外側から洗浄剤等を付けてスイッチボタン８を押し、通常駆動モードで内刃３を駆動させることによって、外刃２及び内刃３全体に洗浄剤が行き渡るとともに、泡立たせることができる。この場合、洗浄駆動モードよりも内刃３が高速に駆動されるので、洗浄剤を行き渡らせ、泡立たせる効果がより大きい。
【００６１】
そして、ユーザーがそのままスイッチボタン８を押しつづけた場合には洗浄駆動モードに切り替えられるので、洗浄駆動モードに切り替えられた後、外刃２を取り外して直接内刃３に流水Ａを当てることにより、内刃３に洗浄剤が行き渡った状態で洗浄され、より洗浄効果を高めることができる。なお、上記外刃２を取り外す際には、ユーザーはスイッチボタン８から手を離す必要があるので、洗浄駆動モードに移行した後はスイッチボタン８から手を離しても洗浄駆動モードが継続することが望ましい。
【００６２】
また、上記洗浄剤を行き渡らせた状態で、ユーザーが所定の時間Ｔａが経過する前にスイッチボタン８から手を離した場合には通常駆動モードに切り替えられるので、従来と同様に外刃２を取り付けた状態で通常駆動モードによる洗浄を行うことも可能である。また、上記所定の時間Ｔａとしては、例えば、上記外刃２と内刃３に洗浄剤が十分に行き渡る時間である２〜５秒程度に設定することが考えられる。
【００６３】
なお、ステップＳ２で、所定の時間Ｔａが経過する前にメインスイッチ１１がオフした場合には、ステップＳ３へ移行せずに通常駆動モードにすべくステップＳ４へ移行する構成としてもよい。この場合、所定の時間Ｔａが経過する前にユーザーがスイッチボタン８から手を離したとき、所定の時間Ｔａが経過するのを待つことなく、すみやかにステップＳ４の通常駆動モードに移行する。
【００６４】
次に、ステップＳ４で通常駆動モードになるので、制御部１３により、駆動部７の駆動周波数が制御され、駆動部７により、内刃３がひげを切断するために適した移動速度で駆動される。また、制御部１３により、積算タイマ部１５に所定の時間ＴＳが設定される。
【００６５】
また、制御部１３により、積算タイマ部１５へ通常駆動モードで動作中であることを示す信号が出力され、積算タイマ部１５によって、当該信号が出力されている間の時間が積算される。また、当該積算された時間が、所定の時間ＴＳを越えた場合は、積算タイマ部１５により、積算タイムアップ信号が制御部１３へ出力される。そして、制御部１３により、洗浄を促すべく表示部１０を発光させるための信号が出力され、表示部１０が発光する。
【００６６】
所定の時間ＴＳとしては、予め実験等によって調べた、ユーザーがひげ剃りを行うことによってひげ屑が刃部に溜まるのにかかる時間が設定される。また、所定の時間ＴＳとして設定される時間は、時間ＴＳの設定時間を切り換えるスイッチ等を設けて、ユーザーのひげの濃さ等の使用条件に応じて変化させるようにしてもよい。この場合、ユーザーは、表示部１０が発光することにより、刃部にひげ屑が溜まり、洗浄する必要があることを知ることができる。
【００６７】
一方、ステップＳ５で、洗浄駆動モードに移行し、制御部１３により、駆動部７の駆動周波数が制御され、駆動部７により、内刃３が洗浄するために適した移動速度で駆動される。また、制御部１３により、洗浄駆動モードで動作中であることを通知すべく表示部９を発光させるための信号が出力され、表示部９が発光する。
【００６８】
この場合、ユーザーは、表示部９が発光することにより、洗浄駆動モードで動作中であることを知ることができ、洗浄駆動モードでひげ剃りを行うことを回避することができる。また、ユーザーは、表示部９が発光することにより、洗浄駆動モードに切り替わったことを確認して、外刃２を取り外すことができる。
【００６９】
なお、表示部９を備えない構成としてもよい。この場合、洗浄駆動モードに切り替わることによって、内刃３が駆動される駆動周波数が変化するため、内刃３の駆動音が変化することによって、ユーザーは、洗浄駆動モードに切り替わったことを確認することができる。
【００７０】
また、制御部１３により、タイマ部１４に所定の時間Ｔｂが設定され、タイマ部１４によって、所定の時間Ｔｂの時間計測が開始される。また、制御部１３により、洗浄駆動モードで動作中であることを示す信号が積算タイマ部１５へ出力される。そして、積算タイマ部１５では、積算された時間を零にする。これにより、洗浄駆動モードで内刃３を駆動すると、積算タイマ部１５で積算された時間が零になるので、積算タイマ部１５は、洗浄駆動モードで内刃３が洗浄された後、通常駆動モードでユーザーがひげ剃りを行った時間を積算することになる。
【００７１】
次に、ステップＳ６で、タイマ部１４から出力されるタイムアップ信号が、制御部１３により検出されるまで、ステップＳ５〜Ｓ６が繰り返され、洗浄駆動モードでの内刃３の駆動が所定の時間Ｔｂの間、継続される。そして、所定の時間Ｔｂが経過して、タイマ部１４から出力されたタイムアップ信号が制御部１３により検出されたとき、制御部１３は、駆動部７に内刃３の駆動を停止させる（ステップＳ７）。
【００７２】
この場合、所定の時間Ｔｂとしては、十分な洗浄効果を得るために必要な時間が設定される。したがって、洗浄駆動モードで洗浄を行うことにより、十分な洗浄効果が得られる。
【００７３】
また、内刃３の駆動は、洗浄のために必要な時間の経過後、制御部１３によって自動的に停止されるので、ユーザーが内刃３の駆動を停止させる操作をする必要が無い。したがって、誤った操作等、意図せず洗浄駆動モードで刃が駆動される状態になったときでも刃が駆動され続けることがない。例えば、電気かみそり１をかばん等に入れて持ち運ぶ際、誤ってスイッチボタン８が押されて洗浄駆動モードで刃が駆動される状態になったときでも刃が駆動され続けることがなく、また、電池が無駄に消耗されることを防止できる。
【００７４】
（第３実施形態の構成）
本発明に係る電気かみそり１の第３の実施形態について説明する。第３の実施形態においては、電気かみそり１の外観及びブロック図は、第２の実施形態に係る電気かみそり１と同様、それぞれ図４及び図５で示される。第３の実施形態に係る電気かみそり１は、第２の実施形態に係る電気かみそり１とは、制御部１３の構成が異なる。
【００７５】
すなわち、制御部１３による洗浄駆動モードとして、外刃２を取り付けた状態で外刃２の外側から洗浄剤等を付けて外刃２及び内刃３全体に洗浄剤を行き渡らせるための第１洗浄駆動モードと、外刃２を取り外した状態で流水を内刃３に当てながら洗浄を行うための第２洗浄駆動モードとを含む。
【００７６】
第１洗浄駆動モードでは、制御部１３は、駆動部７の駆動周波数を制御し、外刃２を取り付けた状態で外刃２の外側から洗浄剤等を付けて外刃２及び内刃３全体に洗浄剤を行き渡らせるために適した移動速度で、駆動部７に内刃３を駆動させる。
【００７７】
この場合、外刃２が取り付けられているので、内刃３を駆動する移動速度を高速にしても、水やひげ屑が飛散することがない。したがって、外刃２を取り外した状態で流水を内刃３に当てながら洗浄を行うための第２洗浄駆動モードの場合よりも、第１洗浄駆動モードで内刃３を駆動する場合の移動速度を高速にすることが望ましい。この場合、洗浄剤を行き渡らせ、あるいは泡立たせる効果を高めることができる。なお、第１洗浄駆動モードで内刃３を駆動する場合の内刃３の移動速度は、第２洗浄駆動モードの場合と同じであってもよい。また、第１洗浄駆動モードで内刃３を駆動する場合の内刃３の移動速度は、通常駆動モードの場合と同じ、あるいは通常駆動モードの場合よりも高速であってもよい。
【００７８】
第２洗浄駆動モードでは、内刃３が駆動される移動速度が、通常駆動モードより遅い速度、例えば、瞬間的に毎分２０ｍ以上で、瞬間最高値が毎分６０ｍ以下になるように、制御部１３により、駆動部７の駆動周波数が制御され、駆動部７により内刃３が駆動される。
【００７９】
また、制御部１３は、所定の時間Ｔｃの間、第１洗浄駆動モードで駆動部７に内刃３を駆動させ、その後、所定の時間Ｔｄの間、内刃３の駆動を停止させ、さらにその後、所定の時間Ｔｅの間、第２洗浄駆動モードで駆動部７に内刃３を駆動させた後に内刃３の駆動を停止させる。これにより、ユーザーは、第１洗浄駆動モードのときに、外刃２を取り付けた状態で外刃２の外側から洗浄剤等を付けて外刃２及び内刃３全体に洗浄剤を行き渡らせた後に、内刃３の駆動が停止している所定の時間Ｔｄの間に外刃を容易に取り外すことができ、第２洗浄駆動モードのときに、洗浄剤を行き渡らせた内刃３に流水を直接に当てながら洗浄を行うことができる。
【００８０】
この場合、例えば、所定の時間Ｔｃとしては、外刃２を取り付けた状態で外刃２の外側から洗浄剤等を付けて外刃２及び内刃３全体に洗浄剤を行き渡らせ、あるいは泡立たせるために十分な時間等が設定され、所定の時間Ｔｄとしては、ユーザーが外刃を取り外すために必要な時間が設定され、所定の時間Ｔｅとしては、流水を直接内刃３に当てながら洗浄を行う場合に十分な洗浄効果が得られる時間が設定される。
【００８１】
（第３実施形態の動作）
図７は、第３の実施形態による電気かみそり１の動作を説明するためのフローチャートである。第２の実施形態とは、図７のフローチャートにおいて、ステップＳ１５以降の洗浄駆動モードでの動作が異なる。ステップＳ１１〜Ｓ１４は、第２の実施形態による図６のフローチャートでのステップＳ１〜Ｓ４と同様であるので説明を省略し、ステップＳ１５以降の動作について説明する。
【００８２】
まず、ステップＳ１３から洗浄駆動モードにすべくステップＳ１５へ移行し、ステップＳ１５で第１洗浄駆動モードとなる。ステップＳ１５で、制御部１３により駆動部７の駆動周波数が制御され、駆動部７により外刃２及び内刃３全体に洗浄剤を行き渡らせるのに適した移動速度、例えば通常駆動モードの場合と同じ移動速度で内刃３が駆動される。この場合、第２洗浄駆動モードで内刃３を駆動させる移動速度よりも高速に内刃３が駆動されるので、外刃２を取り付けた状態で外刃２の外側から洗浄剤等を付けて内刃３を駆動させることにより、外刃２及び内刃３全体に、より十分に洗浄剤を行き渡らせることができる。
【００８３】
また、制御部１３により、洗浄駆動モードで動作中であることを通知すべく表示部９を発光させるための信号が出力され、表示部９が発光する。また、制御部１３により、タイマ部１４に所定の時間Ｔｃが設定され、タイマ部１４によって、所定の時間Ｔｃの時間計測が開始される。この場合、所定の時間Ｔｃとしては、例えば、外刃２及び内刃３全体に、より十分に洗浄剤を行き渡らせるために必要な時間が設定される。
【００８４】
次に、ステップＳ１６で、タイマ部１４から出力されるタイムアップ信号が、制御部１３により検出されるまで、ステップＳ１５〜Ｓ１６が繰り返されるので、第１洗浄駆動モードでの内刃３の駆動が所定の時間Ｔｃの間、継続される。そして、所定の時間Ｔｃが経過して、タイマ部１４から出力されたタイムアップ信号が制御部１３により検出されたとき、内刃３の駆動を中断すべくステップＳ１７に移行する。
【００８５】
次に、ステップＳ１７で、制御部１３は、駆動部７に内刃３の駆動を停止させる。また、制御部１３により、タイマ部１４に所定の時間Ｔｄが設定され、タイマ部１４によって、所定の時間Ｔｄの時間計測が開始される。
【００８６】
次に、ステップＳ１８で、タイマ部１４から出力されるタイムアップ信号が、制御部１３により検出されるまで、ステップＳ１７〜Ｓ１８が繰り返され、所定の時間Ｔｄの間、内刃３の駆動が停止する。そして、所定の時間Ｔｄが経過して、タイマ部１４から出力されたタイムアップ信号が制御部１３により検出されたとき、第２洗浄駆動モードにすべくステップＳ１９へ移行する。
【００８７】
この場合、所定の時間Ｔｄとしては、例えば、外刃２の取り外しを行うために必要な時間が設定され、内刃３の駆動が停止している間に外刃２を取り外すことにより、外刃２と内刃３が衝突する等の干渉を起こすことなく容易に外刃２を取り外すことができる。
【００８８】
また、内刃３の駆動が停止すると、内刃３の駆動音が消えるため、ユーザーは内刃３の駆動が停止したことを確認して外刃２を取り外すことができる。また、例えば、ユーザーに外刃２の取り外しを促す観点から、内刃３の駆動が停止している間、制御部１３は、表示部９を点滅発光させる信号を出力し、表示部９が点滅発光するようにしてもよい。
【００８９】
次に、ステップＳ１９で、第２洗浄駆動モードに移行し、制御部１３により、駆動部７の駆動周波数が制御される。そして、駆動部７により、通常駆動モードより遅い速度、例えば、瞬間的に毎分２０ｍ以上で、瞬間最高値が毎分６０ｍ以下の移動速度で内刃３が駆動される。また、制御部１３により、洗浄駆動モードで動作中であることを通知すべく表示部９を発光させるための信号が出力され、表示部９が発光する。
【００９０】
また、制御部１３により、タイマ部１４に所定の時間Ｔｅが設定され、タイマ部１４によって、所定の時間Ｔｅの時間計測が開始される。また、制御部１３により、洗浄駆動モードで動作中であることを示す信号が積算タイマ部１５へ出力される。そして、積算タイマ部１５は、積算された時間を零にする。これにより、第２洗浄駆動モードで内刃３を駆動すると、積算タイマ部１５で積算された時間が零になるので、積算タイマ部１５は、第２洗浄駆動モードで内刃３が洗浄された後、通常駆動モードでユーザーがひげ剃りを行った時間を積算することになる。
【００９１】
次に、ステップＳ２０で、タイマ部１４から出力されるタイムアップ信号が、制御部１３により検出されるまで、ステップＳ１９〜Ｓ２０が繰り返され、第２洗浄駆動モードでの内刃３の駆動が所定の時間Ｔｅの間、継続される。そして、所定の時間Ｔｅが経過して、タイマ部１４から出力されたタイムアップ信号が制御部１３により検出されたとき、制御部１３は、駆動部７に内刃３の駆動を停止させる（ステップＳ２１）。
【００９２】
この場合、所定の時間Ｔｅとして十分な洗浄効果を得るために必要な時間を設定することにより、十分な洗浄効果が得られるとともに、所定の時間Ｔｅの経過後、制御部１３によっての駆動が自動的に停止されるので、内刃３が駆動され続けることがない。
【００９３】
【発明の効果】
本発明によれば、ひげの切断を行うための通常駆動モードと、刃部の洗浄を行うための洗浄駆動モードとを備えるので、刃を洗浄するための器具を用いず手軽に、水やひげ屑を飛散させることがより少なく、効果的に刃を洗浄可能な電気かみそりを提供できる。
【図面の簡単な説明】
【図１】本発明の第１の実施形態に係る電気かみそりの外観及び刃部を洗浄する様子を示す図である。
【図２】本発明の第１の実施形態に係る電気かみそりのブロック図である。
【図３】本発明の第１の実施形態に係る電気かみそりの動作を説明するための状態遷移図である。
【図４】本発明の第２及び第３の実施形態に係る電気かみそりの外観及び刃部を洗浄する様子を示す図である。
【図５】本発明の第２及び第３の実施形態に係る電気かみそりのブロック図である。
【図６】本発明の第２の実施形態に係る電気かみそりの動作を説明するためのフローチャートである。
【図７】本発明の第３の実施形態に係る電気かみそりの動作を説明するためのフローチャートである。
【符号の説明】
１　電気かみそり
２　外刃
３　内刃
４　ハウジング
５，６　スイッチハンドル
７　駆動部
８　スイッチボタン
９，１０　表示部
１１　メインスイッチ
１２　モードスイッチ
１３　制御部
１４　タイマ部
１５　積算タイマ部
【図１】
2004016285.tif 000003
【図２】
2004016285.tif 000004
【図３】
2004016285.tif 000005
【図４】
2004016285.tif 000006
【図５】
2004016285.tif 000007
【図６】
2004016285.tif 000008
【図７】
2004016285.tif 000009